(57)【要約】実行可能な処理を操作者の習熟度に応じて変化させることができるようにするために、数値制御装置（１）は、タッチパネル装置と、操作者の生体情報が当該操作者の生体から入力される生体情報入力装置と、操作者の複数のレベルに分類された生体情報を予め記憶する情報記憶部（３３）と、生体情報入力装置に入力された生体情報と情報記憶部（３２）にレベル毎に分類されて記憶されている生体情報（中級者生体情報（３５）、初級者生体情報（３６））とを照合して、生体情報入力装置に生体情報を入力した操作者のレベルを特定する生体情報認証部（１１）と、加工にかかる実行できる操作が夫々異なる複数の操作画面のうちの生体情報認証部（１１）が特定したレベルに応じた操作画面を生成して、前記生成した操作画面をタッチパネル装置に表示する画面生成部（１２）と、を備える。
2012153401.tif 000002
【特許請求の範囲】
【請求項１】
情報入力が可能な画像表示装置と、
操作者の生体情報が当該操作者の生体からまたは当該操作者の生体情報が登録されているＩＣカードから入力される生体情報入力装置と、
操作者の複数のレベルに分類された生体情報を予め記憶する情報記憶部と、
前記生体情報入力装置に入力された生体情報と前記情報記憶部にレベル毎に分類されて記憶されている生体情報とを照合して、前記生体情報入力装置に生体情報を入力した操作者のレベルを特定する生体情報認証部と、
加工にかかる実行できる操作が夫々異なる複数の操作画面のうちの前記生体情報認証部が特定したレベルに応じた操作画面を生成して、前記生成した操作画面を前記画像表示装置に表示する画面生成部と、
を備えることを特徴とする数値制御装置。
【請求項２】
前記情報記憶部が予め記憶する生体情報は、操作者の習熟度に基づいて複数のレベルに分類されており、
前記生体情報認証部は、前記生体情報認証部が特定したレベルに対応する習熟度が高いほどより危険を伴う操作を実行することが可能な操作画面を生成する、
ことを特徴とする請求項１に記載の数値制御装置。
【請求項３】
前記情報記憶部が予め記憶する生体情報は、管理者レベルに分類された生体情報をさらに記憶し、
前記画面生成部は、前記生体情報認証部が、前記入力された生体情報のレベルを管理者レベルと特定した場合、数値制御装置の設定変更にかかる操作を実行することが可能な操作画面を生成する、
ことを特徴とする請求項１に記載の数値制御装置。
【請求項４】
前記生体情報認証部が前記生体情報入力装置から入力された生体情報と前記情報記憶部にレベル毎に分類されて記憶されている生体情報との照合に失敗した場合、前記画面生成部は加工にかかる操作を実行できる操作画面を前記画像表示装置に表示しない、
ことを特徴とする請求項１乃至請求項３のうちの何れか一項に記載の数値制御装置。
【請求項５】
前記生体情報認証部は、前記管理者レベルの操作者からの生体情報の定期的な入力および照合を要し、前記管理者レベルにかかる生体情報の入力が無かった場合、または前記定期的に入力された生体情報と前記情報記憶部に予め記憶されている前記管理者レベルにかかる生体情報との照合に失敗した場合に、自数値制御装置の動作を制限する、
ことを特徴とする請求項４に記載の数値制御装置。
【請求項６】
前記生体情報認証部が制限する前記自数値制御装置の動作は、前記画面生成部が加工プログラムまたはシステムプログラムの設定変更にかかる操作を実行することが可能な操作画面を生成する動作である、
ことを特徴とする請求項５に記載の数値制御装置。
【請求項７】
前記生体情報入力装置に対し、少なくとも前記管理者レベルの生体情報は、操作者の生体から入力される、ことを特徴とする請求項６に記載の数値制御装置。
【発明の詳細な説明】
【技術分野】
【０００１】
本発明は、数値制御装置に関する。
【背景技術】
【０００２】
従来、数値制御装置に関し、実行可能な処理を操作者の習熟度に応じて変化させたいという要望がある。例えば、特許文献１には、制御データを変更する際に操作者が予め登録された特定操作者と認識された場合にのみ成型品取出機の制御データの変更を可能化する技術が開示されている。この技術によれば、操作者の虹彩、指紋、声紋などの生体情報を操作者の特定のための照合に用いられる。
【先行技術文献】
【特許文献】
【０００３】
【特許文献１】特開２００３−１３４７号公報
【発明の概要】
【発明が解決しようとする課題】
【０００４】
しかしながら、上記従来の技術は、制御データの変更にかかる資格の有無のみを特定するようにしているため、上記要望に応えていないという問題があった。【０００５】
本発明は、上記に鑑みてなされたものであって、実行可能な処理を操作者の習熟度に応じて変化させることができる数値制御装置を得ることを目的とする。
【課題を解決するための手段】
【０００６】
上述した課題を解決し、目的を達成するために、本発明は、情報入力が可能な画像表示装置と、操作者の生体情報が当該操作者の生体からまたは当該操作者の生体情報が登録されているＩＣカードから入力される生体情報入力装置と、操作者の複数のレベルに分類された生体情報を予め記憶する情報記憶部と、前記生体情報入力装置に入力された生体情報と前記情報記憶部にレベル毎に分類されて記憶されている生体情報とを照合して、前記生体情報入力装置に生体情報を入力した操作者のレベルを特定する生体情報認証部と、加工にかかる実行できる操作が夫々異なる複数の操作画面のうちの前記生体情報認証部が特定したレベルに応じた操作画面を生成して、前記生成した操作画面を前記画像表示装置に表示する画面生成部と、を備えることを特徴とする。
【発明の効果】
【０００７】
本発明によれば、ワークの加工にかかる操作を入力できる操作キーの操作内容を複数に変化させることができるので、実行可能な処理を操作者の習熟度に応じて変化させることができるという効果を奏する。
【図面の簡単な説明】
【０００８】
【図１】図１は、実施の形態１の数値制御装置のハードウェア構成を示す図である。
【図２−１】図２−１は、初級者用の操作画面の例を示す図である。
【図２−２】図２−２は、中級者用の操作画面の例を示す図である。
【図２−３】図２−３は、上級者用の操作画面の例を示す図である。
【図３】図３は、実施の形態１の数値制御装置の機能構成を説明する図である。
【図４】図４は、実施の形態１の数値制御装置の電源オン時の動作を説明する図である。
【図５】図５は、実施の形態２の数値制御装置の機能構成を示す図である。
【図６】図６は、実施の形態２の数値制御装置の定期認証処理の動作を説明するフローチャートである。
【図７】図７は、実施の形態２の数値制御装置の電源オン時の動作を説明する図である。
【図８】図８は、実施の形態３の数値制御装置のハードウェア構成を説明する図である。
【図９】図９は、実施の形態４の数値制御装置のハードウェア構成を説明する図である。
【発明を実施するための形態】
【０００９】
以下に、本発明にかかる数値制御装置の実施の形態を図面に基づいて詳細に説明する。なお、これらの実施の形態によりこの発明が限定されるものではない。
【００１０】
実施の形態１．
図１は、本発明にかかる数値制御装置の実施の形態１のハードウェア構成を示す図である。図示するように、数値制御装置１は、演算装置１０、揮発性メモリ２０、不揮発性メモリ３０、生体情報入力装置４０、タッチパネル装置５０および加工機器接続インタフェース（Ｉ／Ｆ）６０を備えている。
【００１１】
不揮発性メモリ３０は、加工プログラム３１と、当該加工プログラム３１を実行するためのソフトウェア環境を実現するシステムプログラム３２と、を記憶する不揮発性メモリである。これらのプログラムの更新が可能なように、不揮発性メモリ３０は、ＦｌａｓｈＲＡＭ（Ｆｌａｓｈ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などの書き換え可能なメモリが採用される。
【００１２】
演算装置１０は、例えばＣＰＵ（Ｃｅｎｔｒａｌ  Ｐｒｏｃｅｓｓｉｎｇ  Ｕｎｉｔ）であって、システムプログラム３２の制御の下で加工プログラム３１を実行して、加工機器に送る指令を生成する。揮発性メモリ２０は、例えばＲＡＭにより構成される。揮発性メモリ２０は、演算装置１０が加工プログラム３１やシステムプログラム３２を実行する際のワークエリアとして使用される。
【００１３】
加工機器接続Ｉ／Ｆ６０は、加工機器に演算装置１０が生成した指令を送信したり、加工器機から送られてくるサンプリングデータの入力を受け付けたりするための接続インタフェースである。
【００１４】
生体情報入力装置４０は、虹彩、指紋、声紋など、人体に固有の情報の入力を受け付ける装置であって、指紋読取装置や網膜読取装置、声紋入力装置等が該当する。操作者は、数値制御装置１の起動時に生体情報入力装置４０に虹彩、指紋、声紋などを読み取らせる。生体情報入力装置４０は、読み取った生体情報を演算装置１０に送信する。
【００１５】
タッチパネル装置５０はソフトウェアボタンで構成される操作キーが形成された画面を表示することによって、操作者に演算装置１０が生成した情報を出力するとともに操作者からの操作情報の入力を促す入出力装置である。タッチパネル装置５０は、操作者から入力された操作情報を演算装置１０に送信する。
【００１６】
ここで、本発明の実施の形態１によれば、実行可能な処理を操作者の習熟度に応じて変化させることができるようにするために、数値制御装置１は、操作者毎の生体情報を予め複数レベルに分類して記憶しておき、操作者が操作を行う際に入力された生体情報と予め記憶している生体情報とを照合することで当該操作者のレベルを特定する。そして、特定したレベルに応じた表示内容をタッチパネル装置５０に表示し、レベルに合わない操作を実行できる操作キーを表示しないようにする。
【００１７】
図２−１は、初級者用の操作画面の例を示す図であり、図２−２は中級者用の操作画面の例を示す図であり、図２−３は、上級者用の操作画面の例を示す図である。なお、図２−１乃至図２−３においては、テンキーやＡＳＣＩＩキーの表示を省略している。まず、初級者用の操作画面には、数値制御装置１を起動、即ち加工プログラム３１を実行可能な状態に移行させるためのＯＮキー、数値制御装置１を停止するためのＯＦＦキー、加工プログラム３１の実行をスタートするＳＴＡＲＴキー、加工プログラム３１の実行をストップするＳＴＯＰキー、加工状況をモニターするためのＭＯＮＩＴＯＲキー、緊急時の非常停止を行う非常停止キーが表示されている。操作者は、これらのキーを押下することによって対応する操作を入力することができる。
【００１８】
中級者用の操作画面には、初級者用の操作画面に表示されていた操作キーに加え、機械扉を開閉するためのＯＰＥＮキーと、ワークの位置調整を行うためのＣＨＥＣＫキーが表示されている。このように、中級者用の出力画面には、操作に習熟した者以外が実行すると危険を伴うような操作を実行するための操作キーが追加されている。
【００１９】
上級者用の操作画面には、中級者用の操作画面に表示されていた操作キーに加えて、加工プログラム３１を変更するためのＬＯＡＤキー、ＡＳＣＩＩキー入力による加工プログラム３１の変更時にプログラムを保存するＳＡＶＥキー、システムエラーが起こったときにエラー処理（エラー解除やエラーの内容の確認）を行うためのＥＲＲＯＲキー、数値制御装置１に制御される加工機器の稼働状況や消費電力などをチェックするＳＹＳＴＥＭキー、数値制御装置１のメンテナンスを開始するためのＭＡＩＮＴＡＩＮキー、システムプログラム３２のバージョンアップや変更などに使うＰＲＯＧキー、上記各種キーの内容を適宜切り替えるＭＯＤＥキー、操作者の登録を行うＡＵＴＨキーが追加されている。上級者用の操作画面によれば、ワークの加工にかかる操作ばかりではなく数値制御装置１の各種設定を変更するような、より重要な操作を入力できるようになっている。
【００２０】
図３は、習熟度に応じて操作画面を切り替えるための数値制御装置１の機能構成を説明する図である。数値制御装置１は、生体情報認証部１１、画面生成部１２、加工プログラム実行部１３、および情報記憶部３３を備えている。情報記憶部３３には、上級者生体情報３４、中級者生体情報３５、初級者生体情報３６が格納されている。なお、これらの機能構成要素のうち、生体情報認証部１１、画面生成部１２、および加工プログラム実行部１３は、演算装置１０がシステムプログラム３２を実行することによって実現される。情報記憶部３３は、不揮発性メモリ３０内に確保される。
【００２１】
上級者生体情報３４は習熟度が上級者レベルに分類される操作者の生体情報であり、中級者生体情報３５は習熟度が中級者レベルに分類される操作者の生体情報であり、初級者生体情報３６は習熟度が初級者レベルに分類される操作者の生体情報である。
【００２２】
生体情報認証部１１は、図２−１乃至図２−３に示した数値制御装置１の操作画面を表示する前に操作者に対して生体情報の入力を促して、入力された生体情報と情報記憶部３３に格納されている各生体情報とを照合し、操作者の習熟度のレベルを特定する。そして、生体情報認証部１１は、特定した習熟度のレベルを画面生成部１２に送る。なお、生体情報認証部１１は、照合の結果、入力された生体情報が何れの生体情報とも合致しなかった場合、エラー通知を出力させる指令を画面生成部１２に送る。
【００２３】
画面生成部１２は、生体情報認証部１１が特定した習熟度のレベルに対応した操作画面を生成する。また、画面生成部１２は、照合に失敗した旨を受け取ると、照合エラーを通知する旨の画面を生成する。画面生成部１２が生成した画面はタッチパネル装置５０に出力される。
【００２４】
加工プログラム実行部１３は、操作画面を介して入力される、ワークにかかる操作に基づいて、加工プログラム３１を実行したり、停止したりする。
【００２５】
図４は、実施の形態１の数値制御装置１の電源オン時の動作を説明する図である。まず、操作者が数値制御装置１の電源をオンすると、生体情報認証部１１は、生体情報入力装置４０を介して操作者の生体情報が入力されたか否かを判定し（ステップＳ１）、入力されていない場合（ステップＳ１、Ｎｏ）、ステップＳ１の判定処理を再度実行することで生体情報の入力を待ち受ける。生体情報が入力された場合（ステップＳ１、Ｙｅｓ）、生体情報認証部１１は、入力された生体情報と情報記憶部３３に予め格納されている初級者生体情報３６とを照合し、入力された生体情報が初級者生体情報３６と合致するか否かを判定する（ステップＳ２）。入力された生体情報が初級者生体情報３６と合致した場合（ステップＳ２、Ｙｅｓ）、画面生成部１２は、初級者用操作画面を生成し（ステップＳ３）、生成した初級者用操作画面をタッチパネル装置５０に表示する（ステップＳ８）。
【００２６】
入力された生体情報が初級者生体情報３６と合致しない場合（ステップＳ２、Ｎｏ）、生体情報認証部１１は、入力された生体情報と情報記憶部３３に予め格納されている中級者生体情報３５とを照合し、当該入力された生体情報が中級者生体情報３５と合致するか否かを判定する（ステップＳ４）。入力された生体情報が中級者生体情報３５と合致した場合（ステップＳ４、Ｙｅｓ）、画面生成部１２は、中級者用操作画面を生成し（ステップＳ５）、生成した中級者用操作画面をタッチパネル装置５０に表示する（ステップＳ８）。
【００２７】
入力された生体情報が中級者生体情報３５と合致しない場合（ステップＳ４、Ｎｏ）、生体情報認証部１１は、入力された生体情報と情報記憶部３３に予め格納されている上級者生体情報３４とを照合し、当該入力された生体情報が中級者生体情報３５と合致するか否かを判定する（ステップＳ６）。入力された生体情報が上級者生体情報３４と合致した場合（ステップＳ６、Ｙｅｓ）、画面生成部１２は、上級者用操作画面を生成し（ステップＳ７）、生成した上級者用操作画面をタッチパネル装置５０に表示する（ステップＳ８）。
【００２８】
入力された生体情報が上級者生体情報３４と合致しない場合（ステップＳ６、Ｎｏ）、画面生成部１２は、照合エラーである旨のエラー通知画面を生成し（ステップＳ９）、生成したエラー通知画面をタッチパネル装置５０に表示する（ステップＳ１０）。ステップＳ８またはステップＳ１０によって、数値制御装置１の電源がオンされたときの動作が完了する。
【００２９】
なお、ここでは、電源オン時に生体情報の照合が行われるとして説明したが、生体情報の照合を実行するタイミングは電源オン時だけに限定されない。例えば、操作者がログオフし、再度ログインされる際に生体情報の照合を実行するようにしてもよい。
【００３０】
また、上級者生体情報３４、中級者生体情報３５、および初級者生体情報３６の夫々は、１以上の操作者にかかる生体情報を含んでいてもよい。例えば複数の操作者にかかる生体情報が初級者生体情報３６に含まれている場合には、ステップＳ２においては、入力された生体情報が初級者生体情報３６に含まれる生体情報のうちの何れか１つに合致するか否かが判定される。
【００３１】
このように、本発明の実施の形態１によれば、タッチパネル装置５０と、操作者の生体情報が当該操作者の生体から入力される生体情報入力装置４０と、操作者の複数のレベルに分類された生体情報を予め記憶する情報記憶部３３と、生体情報入力装置５０に入力された生体情報と情報記憶部３２にレベル毎に分類されて記憶されている生体情報（中級者生体情報３５、初級者生体情報３６）とを照合して、生体情報入力装置５０に生体情報を入力した操作者のレベルを特定する生体情報認証部１１と、ワークの加工にかかる実行できる操作が夫々異なる複数の操作画面のうちの生体情報認証部１１が特定したレベルに応じた操作画面を生成して、前記生成した操作画面をタッチパネル装置５０に表示する画面生成部１２と、を備えるように構成したので、ワークの加工にかかる操作を入力できる操作キーの操作内容を複数に変化させることができるので、実行可能な処理を操作者の習熟度に応じて変化させることができる。したがって、未習熟の操作者が危険を伴う操作を実行することを防止することができるようになる。
【００３２】
また、情報記憶部３２に、数値制御装置１の設定変更にかかる操作を実行する権限が与えられた管理者レベルの生体情報（上級者生体情報３４）をさらに記憶し、画面生成部１２は、生体情報認証部１１が入力された生体情報のレベルを管理者レベルと特定した場合、数値制御装置１の設定変更にかかる操作を実行することが可能な操作画面を生成する、ように構成したので、未習熟の操作者が誤って数値制御装置１の設定を変更してしまうことを未然に防止することができるようになる。
【００３３】
なお、数値制御装置１で制御される加工機器や数値制御に用いられる測定機器には、軍事技術に転用できるおそれがあるとして特定の国への輸出が禁止されているものがある。したがって、このような機器の製造者は、不正な移設を抑止する機能を実装することが求められている。本発明の実施の形態１によれば、入力された生体情報が情報記憶部３３に予め格納されている何れか１つの生体情報を合致した場合には、ステップＳ８において操作画面が表示され、夫々の操作画面に表示されている操作キーに基づく動作を実行することができるが、入力された生体情報が情報記憶部３３に予め格納されているどの生体情報にも合致しなかった場合には、操作画面が表示されないため、加工プログラム３１の操作を実行することができない。したがって、上級者生体情報３４として生体情報を登録する操作者を特定の人物に限定するようにすると、上級者の権限を有する人物がいない限り数値制御装置１の設定変更にかかる操作を実行することができないので、不正な移設を抑止する効果が得られる。なお、上級者の権限を製造者側の人物が有するようにしてもよい。このようにすることによって、購入者が数値制御装置１の上級者権限を有する人物を変更することができなくなるとともに、設定変更を行う際には製造者側の人物に設置現場に来てもらう必要が生じるので、不正な移設を抑止する効果をより高めることができる。
【００３４】
実施の形態２．
実施の形態１によれば、数値制御装置に重大な影響を与える操作を行うことができる操作者を限定することで、数値制御装置の移設を抑止する効果が得られる。実施の形態２によれば、数値制御装置の移設の抑止効果をさらに高めるために、限られた操作者による定期的な認証（以下、定期認証処理という）を要求するようにした。なお、製造者を定期認証処理の対象者とするようにしてもよいし、初回の購入者を定期認証処理の対象者とするようにしてもよい。ここでは、一例として、上級者として登録されている操作者を定期認証処理の対象者として説明する。
【００３５】
実施の形態２の数値制御装置のハードウェア構成は実施の形態１と等しく、説明が重複するので、ハードウェア構成の説明を省略する。なお、実施の形態２の数値制御装置には符号２を付して実施の形態１と区別する。
【００３６】
図５は、実施の形態２の数値制御装置２の機能構成を示す図である。なお、本実施の形態２の機能構成の説明においては、実施の形態１と同じ構成要素には同一の符号を付して重複する説明を省略する。図５に示すように、実施の形態２の数値制御装置２は、生体情報認証部１４、画面生成部１２、加工プログラム実行部１３、および情報記憶部３３を備えている。情報記憶部３３には、上級者生体情報３４、中級者生体情報３５、初級者生体情報３６、定期認証情報３７が格納されている。
【００３７】
定期認証情報３７は、定期認証処理が行われる毎に更新されるファイルであって、少なくとも最後に定期認証処理が実行された時刻かまたは当該時刻から予め定められている有効期間を加算して決まる有効期限が記述されている。生体情報認証部１４は、定期認証情報３７の有効期限が経過したか否かを判定し、有効期限が経過した場合には、数値制御装置２の操作に所定の制限をかける。数値制御装置２にかける制限はどのようなものであってもよいが、例えば、加工プログラム３１の実行を停止して、加工プログラム３１を起動できないようにする、数値制御装置２に対する操作入力をできないようにする、などが挙げられる。ここでは、一例として、有効期限が切れているか否かを電源オン時に判定し、その時点で有効期限が切れている場合には、一切の操作ができないようにするものとする。
【００３８】
図６は、定期認証処理の動作を説明するフローチャートである。図示するように、生体情報認証部１４は、操作者からの生体情報入力装置４０を介した生体情報の入力を受け付ける（ステップＳ２１）。そして、生体情報認証部１４は、入力された生体情報と情報記憶部３３に予め格納されている上級者生体情報３４とを照合し、当該入力された生体情報が上級者生体情報３４と合致するか否かを判定する（ステップＳ２２）。入力された生体情報が上級者生体情報３４と合致した場合（ステップＳ２２、Ｙｅｓ）、生体情報認証部１４は、定期認証情報３７を更新し（ステップＳ２３）、定期認証処理の動作が完了する。入力された生体情報が上級者生体情報３４と合致しない場合（ステップＳ２２、Ｎｏ）、定期認証処理は失敗となる（ステップＳ２４）。
【００３９】
図７は、実施の形態２の数値制御装置２の電源オン時の動作を説明する図である。まず、操作者が数値制御装置２の電源をオンすると、生体情報認証部１４は、生体情報入力装置４０を介して操作者の生体情報が入力されたか否かを判定し（ステップＳ３１）、入力されていない場合（ステップＳ３１、Ｎｏ）、ステップＳ３１の判定処理を再度実行することで生体情報の入力を待ち受ける。生体情報が入力された場合（ステップＳ３１、Ｙｅｓ）、生体情報認証部１４は、情報記憶部３３に格納されている定期認証情報３７に基づいて、当該定期認証情報３７の有効期限が経過したか否かを判定する（ステップＳ３２）。有効期限が経過してしまっている場合（ステップＳ３２、Ｙｅｓ）、画面生成部１２は、エラー通知画面を生成し（ステップＳ４０）、生成したエラー通知画面をタッチパネル装置５０に表示する（ステップＳ４１）。
【００４０】
ステップＳ３２において、定期認証情報３７の有効期限がまだ経過していない場合（ステップＳ３２、Ｎｏ）、生体情報認証部１４は、入力された生体情報と情報記憶部３３に予め格納されている初級者生体情報３６とを照合し、入力された生体情報が初級者生体情報３６と合致するか否かを判定する（ステップＳ３３）。入力された生体情報が初級者生体情報３６と合致した場合（ステップＳ３３、Ｙｅｓ）、画面生成部１２は、初級者用操作画面を生成し（ステップＳ３４）、生成した初級者用操作画面をタッチパネル装置５０に表示する（ステップＳ３９）。
【００４１】
入力された生体情報が初級者生体情報３６と合致しない場合（ステップＳ３３、Ｎｏ）、生体情報認証部１４は、入力された生体情報と情報記憶部３３に予め格納されている中級者生体情報３５とを照合し、当該入力された生体情報が中級者生体情報３５と合致するか否かを判定する（ステップＳ３５）。入力された生体情報が中級者生体情報３５と合致した場合（ステップＳ３５、Ｙｅｓ）、画面生成部１２は、中級者用操作画面を生成し（ステップＳ３６）、生成した中級者用操作画面をタッチパネル装置５０に表示する（ステップＳ３９）。
【００４２】
入力された生体情報が中級者生体情報３５と合致しない場合（ステップＳ３５、Ｎｏ）、生体情報認証部１４は、入力された生体情報と情報記憶部３３に予め格納されている上級者生体情報３４とを照合し、当該入力された生体情報が中級者生体情報３５と合致するか否かを判定する（ステップＳ３７）。入力された生体情報が上級者生体情報３４と合致した場合（ステップＳ３７、Ｙｅｓ）、画面生成部１２は、上級者用操作画面を生成し（ステップＳ３８）、生成した上級者用操作画面をタッチパネル装置５０に表示する（ステップＳ３９）。
【００４３】
入力された生体情報が上級者生体情報３４と合致しない場合（ステップＳ３７、Ｎｏ）、画面生成部１２は、エラー通知画面を生成し（ステップＳ４０）、生成したエラー通知画面をタッチパネル装置５０に表示する（ステップＳ４１）。ステップＳ３９またはステップＳ４１によって、数値制御装置１の電源がオンされたときの動作が完了する。
【００４４】
このように、本発明の実施の形態２によれば、生体情報認証部１４は、上級者レベルの操作者からの生体情報の定期的な入力および照合を要し、上級者レベルにかかる生体情報の入力が無かった場合、または定期的に入力された生体情報と情報記憶部３３に予め記憶されている上級者生体情報３４との照合に失敗した場合に、数値制御装置２の動作を制限する、ように構成したので、上級者の権限を有する操作者による定期的な認証が必要となるので、実施の形態１に比して不正な移設を抑止する効果を高めることができる。
【００４５】
実施の形態３．
実施の形態１によれば、認証のための生体情報を操作者の生体から読み取るための生体情報入力装置を備えるが、生体情報を予め登録しておいたＩＣカードを用いて認証できるようにしてもよい。
【００４６】
図８は、実施の形態３の数値制御装置のハードウェア構成を説明する図である。なお、実施の形態１と同じ構成要素には同一の符号を付して、重複する説明を省略する。図８に示すように、数値制御装置３は、演算装置１０、揮発性メモリ２０、不揮発性メモリ３０、タッチパネル装置５０、加工機器接続Ｉ／Ｆ６０、およびＩＣカードＩ／Ｆ７０を備えている。
【００４７】
ＩＣカードＩ／Ｆ７０は、操作者の生体情報７２が予め登録されているＩＣカード７１から生体情報７２を読み出すための読み出し装置である。ＩＣカード７１から読み出された生体情報７１は演算装置１０に送られる。
【００４８】
なお、実施の形態３の数値制御装置３の動作は、操作者の生体情報が生体情報入力装置５０を介して入力される動作を、ＩＣカード７１に予め登録されている操作者の生体情報７２がＩＣカードＩ／Ｆ７０を介して入力される動作に読み替えたものと同じであるので、実施の形態３の数値制御装置３の動作の説明を省略する。
【００４９】
一般に、生体情報入力装置を用いて操作者の生体から生体情報を読み出すよりも、ＩＣカードに登録されている生体情報を読み出す方が高速である。また、ＩＣカードＩ／Ｆ７０は、生体情報入力装置よりも安価でかつメンテナンスも簡単である。即ち、本発明の実施の形態３によれば、ＩＣカード７１に予め登録されている操作者の生体情報７１をＩＣカードＩ／Ｆ７０を介して読み出して、当該読み出した生体情報を用いて認証を行うように構成したので、実施の形態１よりも高速に認証を実行でき、安価で、かつメンテナンスが簡単な数値制御装置を得ることができる。
【００５０】
なお、実施の形態３は、実施の形態２の数値制御装置２にも適用することは言うまでもない。実施の形態３を実施の形態２の数値制御装置２に適用することによって、実施の形態２よりも高速に認証を実行でき、安価で、かつメンテナンスが簡単な数値制御装置を得ることができる。
【００５１】
実施の形態４．
ＩＣカードは改竄することが比較的簡単であるという欠点を有している。そこで、実施の形態４では、数値制御装置の設定を変更する操作を実行できる権限を有する操作者（ここでは上級者）は生体情報入力装置を介して生体情報を入力し、その他の操作者（ここでは中級者および初級者）はＩＣカードを介して生体情報を入力できるようにする。
【００５２】
図９は、実施の形態４の数値制御装置のハードウェア構成を説明する図である。なお、実施の形態１と同じ構成要素とには同一の符号を付して、重複する説明を省略する。図９に示すように、数値制御装置４は、演算装置１０、揮発性メモリ２０、不揮発性メモリ３０、タッチパネル装置５０、加工機器接続Ｉ／Ｆ６０、ＩＣカードＩ／Ｆ７０、および生体情報入力装置接続Ｉ／Ｆ８０を備えている。
【００５３】
ＩＣカードＩ／Ｆ７０は、中級者や初級者に配布され、夫々、配布先の操作者の生体情報７４が登録されているＩＣカード７３から生体情報７４を読み出すための読み出し装置である。ＩＣカードＩ／Ｆ７０は、ＩＣカード７３から読み出した生体情報７４を演算装置１０に送信する。
【００５４】
生体情報入力装置接続Ｉ／Ｆ８０は、上級者の権限を有する操作者が生体情報を入力するための生体情報入力装置８１が接続される接続インタフェースである。生体情報入力装置８１は、数値制御装置４から着脱可能に構成されている。
【００５５】
このように、数値制御装置４の設定変更にかかる操作を実行する権限を有する上級者は生体情報入力装置８１を用いて認証を行う必要があり、設定変更にかかる操作を実行する権限を有さない、中級者や初級者は、ＩＣカード７３を用いて認証を行うことができるように構成したので、上級者の認証を行う際だけ製造者が生体情報入力装置８１を持参するといった運用を行うことができる。これによって、購入者は、生体情報入力装置８１を購入する必要がなくなるとともに、ＩＣカード７３を用いて上級者の認証を行うことが禁止されるので、実施の形態１に比して不正な移設を抑止する効果を減ずることなく数値制御装置４のコストを低減し、かつメンテナンス性を向上させることができる。
【００５６】
なお、以上に説明した実施の形態４の構成は、実施の形態２にも適用できることはいうまでもない。上記構成を実施の形態２に適用することによって、実施の形態２に比して不正な移設を抑止する効果を減ずることなく数値制御装置４のコストを低減し、かつメンテナンス性を向上させることができる。
【符号の説明】
【００５７】
１、２、３、４  数値制御装置
１０  演算装置
１１、１４  生体情報認証部
１２  画面生成部
１３  加工プログラム実行部
２０  揮発性メモリ
３０  不揮発性メモリ
３１  加工プログラム
３２  システムプログラム
３３  情報記憶部  
３４  上級者生体情報
３５  中級者生体情報
３６  初級者生体情報
３７  定期認証情報
４０、５０、８１  生体情報入力装置
５０  タッチパネル装置
６０  加工機器接続Ｉ／Ｆ
７０  ＩＣカードＩ／Ｆ
７１、７４  ＩＣカード
７１、７４  生体情報
８０  生体情報入力装置接続Ｉ／Ｆ  
【図１】
2012153401.tif 000003
【図２−１】
2012153401.tif 000004
【図２−２】
2012153401.tif 000005
【図２−３】
2012153401.tif 000006
【図３】
2012153401.tif 000007
【図４】
2012153401.tif 000008
【図５】
2012153401.tif 000009
【図６】
2012153401.tif 000010
【図７】
2012153401.tif 000011
【図８】
2012153401.tif 000012
【図９】
2012153401.tif 000013
【手続補正書】
【提出日】平成24年6月25日(2012.6.25)
【手続補正１】
【補正対象書類名】明細書
【補正対象項目名】０００６
【補正方法】変更
【補正の内容】
【０００６】
上述した課題を解決し、目的を達成するために、本発明は、情報入力が可能な画像表示装置と、操作者の生体情報が当該操作者の生体からまたは当該操作者の生体情報が登録されているＩＣカードから入力される生体情報入力装置と、操作者の複数のレベルに分類された生体情報を予め記憶する情報記憶部と、前記生体情報入力装置に入力された生体情報と前記情報記憶部にレベル毎に分類されて記憶されている生体情報とを照合して、前記生体情報入力装置に生体情報を入力した操作者のレベルを特定する生体情報認証部と、加工にかかる実行できる操作が夫々異なる複数の操作画面のうちの許容される操作入力のみを促す操作画面を前記生体情報認証部が特定したレベルの操作者に応じて生成して、前記生成した操作画面を前記画像表示装置に表示する画面生成部と、を備えることを特徴とする。
【手続補正２】
【補正対象書類名】特許請求の範囲
【補正対象項目名】全文
【補正方法】変更
【補正の内容】
【特許請求の範囲】
【請求項１】
情報入力が可能な画像表示装置と、
操作者の生体情報が当該操作者の生体からまたは当該操作者の生体情報が登録されているＩＣカードから入力される生体情報入力装置と、
操作者の複数のレベルに分類された生体情報を予め記憶する情報記憶部と、
前記生体情報入力装置に入力された生体情報と前記情報記憶部にレベル毎に分類されて記憶されている生体情報とを照合して、前記生体情報入力装置に生体情報を入力した操作者のレベルを特定する生体情報認証部と、
加工にかかる実行できる操作が夫々異なる複数の操作画面のうちの許容される操作入力のみを促す操作画面を前記生体情報認証部が特定したレベルの操作者に応じて生成して、前記生成した操作画面を前記画像表示装置に表示する画面生成部と、
を備えることを特徴とする数値制御装置。
【請求項２】
前記情報記憶部が予め記憶する生体情報は、操作者の習熟度に基づいて複数のレベルに分類されており、
前記生体情報認証部は、前記生体情報認証部が特定したレベルに対応する習熟度が高いほどより危険を伴う操作を実行することが可能な操作画面を生成する、
ことを特徴とする請求項１に記載の数値制御装置。
【請求項３】
前記情報記憶部が予め記憶する生体情報は、管理者レベルに分類された生体情報をさらに記憶し、
前記画面生成部は、前記生体情報認証部が、前記入力された生体情報のレベルを管理者レベルと特定した場合、数値制御装置の設定変更にかかる操作を実行することが可能な操作画面を生成する、
ことを特徴とする請求項１に記載の数値制御装置。
【請求項４】
前記生体情報認証部が前記生体情報入力装置から入力された生体情報と前記情報記憶部にレベル毎に分類されて記憶されている生体情報との照合に失敗した場合、前記画面生成部は加工にかかる操作を実行できる操作画面を前記画像表示装置に表示しない、
ことを特徴とする請求項１乃至請求項３のうちの何れか一項に記載の数値制御装置。
【請求項５】
前記生体情報認証部は、前記管理者レベルの操作者からの生体情報の定期的な入力および照合を要し、前記管理者レベルにかかる生体情報の入力が無かった場合、または前記定期的に入力された生体情報と前記情報記憶部に予め記憶されている前記管理者レベルにかかる生体情報との照合に失敗した場合に、自数値制御装置の動作を制限する、
ことを特徴とする請求項４に記載の数値制御装置。
【請求項６】
前記生体情報認証部が制限する前記自数値制御装置の動作は、前記画面生成部が加工プログラムまたはシステムプログラムの設定変更にかかる操作を実行することが可能な操作画面を生成する動作である、
ことを特徴とする請求項５に記載の数値制御装置。
【請求項７】
前記生体情報入力装置に対し、少なくとも前記管理者レベルの生体情報は、操作者の生体から入力される、ことを特徴とする請求項６に記載の数値制御装置。
【国際調査報告】
2012153401.tif 000014
2012153401.tif 000015
2012153401.tif 000016
2012153401.tif 000017